(57)【要約】      （修正有）【課題】安定した強度を確保することができるとともに建設コストを低減することができる新規な二槽式貯水タンクを提供する。【解決手段】略円筒状に成形され内部には貯水空間が形成されてなる側壁部３は仕切り壁部８により二分され、上記仕切り壁部の左右両側には該仕切り壁部８に固定され且つ自立してなるトラスユニット１２，１３が溶接されいる。各トラスユニット１２，１３は、複数の水平補強材，垂直補強材，複数の傾斜補強材と、を有し、上記複数の垂直補強材の中途部は、上記仕切り壁部８に平行に配置された複数の横架材により接続されてなる。【選択図】図１
0003209694.tif 000002
【実用新案登録請求の範囲】
【請求項１】
金属により成形された複数の側プレートにより円筒状に成形され、内部には貯水空間が形成されてなる側壁部と、複数の仕切りプレートにより上記貯水空間を一方の貯水空間と他方の貯水空間とに二分する仕切り壁部と、を備え、
上記仕切り壁部の左側には、該仕切り壁部に固定され且つ自立してなる一方のトラスユニットが溶接され、
上記仕切り壁部の右側には、該仕切り壁部に固定され且つ自立してなる他方のトラスユニットが溶接され、
上記一方及び他方のトラスユニットは、上記仕切り壁部の左側面又は右側面と直交する方向に長さを有する複数の水平補強材と、該仕切り壁部の高さ方向と同じ方向に長さを有するとともに上記仕切り壁部に溶接されてなる複数の垂直補強材と、一端は上記水平補強材の中途部に溶接され他端は上記垂直補強材に溶接されてなり互いに交差して溶接されてなる複数の傾斜補強材と、を有してなるとともに、上記複数の垂直補強材の中途部は、上記仕切り壁部に平行に配置された複数の横架材により接続されてなるものであることを特徴とする二槽式貯水タンク。
【請求項２】
金属により成形された複数の側プレートにより全体の平面形状が円弧状に成形されてなる一方の円弧状壁部と、金属により成形された複数の側プレートにより全体の平面形状が円弧状に成形されてなる他方の円弧状壁部と、上記一方の円弧状壁部の一端と上記他方の円弧状壁部の他端とを接続する一方の接続壁部と、上記一方の円弧状壁部の他端と上記他方の円弧状壁部の一端とを接続するとともに、上記一方の接続壁部と面対向してなる他方の接続壁部と、を備え、一端は上記一方の接続壁部に接続され他端は上記他方の接続壁部に接続された複数の仕切りプレートにより上記貯水空間を一方の貯水空間と他方の貯水空間とに二分する仕切り壁部と、を備え、
上記仕切り壁部の左側には、該仕切り壁部の左側面に固定され且つ自立してなる一方のトラスユニットが溶接され、
上記仕切り壁部の右側には、該仕切り壁部の右側面に固定され且つ自立してなる他方のトラスユニットが溶接されてなり、
上記一方及び他方のトラスユニットは、上記仕切り壁部の左側面又は右側面と直交する方向に長さを有する複数の水平補強材と、該仕切り壁部の高さ方向と同じ方向に長さを有するとともに上記仕切り壁部に溶接されてなる複数の垂直補強材と、一端は上記水平補強材の中途部に溶接され他端は上記垂直補強材に溶接されてなり互いに交差して溶接されてなる複数の傾斜補強材と、を有してなるとともに、上記複数の垂直補強材の中途部は、上記仕切り壁部に平行に配置された複数の横架材により接続されてなるものであることを特徴とする二槽式貯水タンク。
【考案の詳細な説明】
【技術分野】
【０００１】
本考案は、液体が収容される貯槽が二つ形成された二槽式貯水タンクに関するものである。
【背景技術】
【０００２】
液体が収容される貯水タンクは、内部で発生した細菌の除去等のメンテナンス作業が必要となる。特に、タンク内に収容する液体が飲料水である場合には、タンク内の清掃や消毒は毎年１回以上実施することが義務付けられている。他方、継続的・安定的に液体を外部に供給されるべきことを考慮した場合、単一の貯水タンクでは、上記メンテナンス作業を行うことはできない。したがって、一方及び他方（二つの）の貯水タンクをそれぞれ別個に設け、一方の貯水タンクに関してメンテナンス作業を行っている間は、他方の貯水タンクから液体を外部に供給する方法が考えられる。しかし、このように二つの貯水タンクをそれぞれ別個に設けることは、広い設置面積が確保されていなければ不能であり、限られた面積を有効活用することを阻害するばかりではなく、それぞれ二つの貯水タンクに工数が多い屋根を別個に構築しなければならず、経済的なデメリットが多い。
【０００３】
また、上述したように、二つの貯水タンクをそれぞれ別個に設ける方法以外に、貯水タンクの側壁（外筒）を円筒状に成形し、この円筒状に成形された側壁の内側に、該側壁と同心円状の内壁（内筒）を設け、この内壁の内側を一方の貯水槽とし、該内壁と上記側壁との間を他方の貯水槽とする貯水タンク（以下、同心円式の二槽式貯水タンクと言う。）も考えられる。こうした同心円式の二槽式貯水タンクによれば、先に説明した二つの貯水タンクを別個に設けたものが有するデメリット、特に、設置面積の問題や屋根を別個に構築することに伴う経済的デメリットを解消することが可能となる。
【考案の概要】
【考案が解決しようとする課題】
【０００４】
しかしながら、上記同心円式貯水タンクでは、上記内壁（内筒）は、大きな外圧が作用し座屈する危険性が高いことから、この内壁（内筒）を補強するために、内壁（内筒）の素材として厚板を使用したりリング状の補強材を使用したりする必要性が生じ、建設コストが嵩むことを免れない。
【０００５】
そこで、本考案は、上述した同心円式の二槽式貯水タンクが有する課題を解決するために提案されたものであって、安定した強度を確保することができるとともに建設コストを低減することができる新規な二槽式貯水タンクを提供することを目的とするものである。
【課題を解決するための手段】
【０００６】
本考案は、上記目的を達成するために提案されたものであって、第１の考案（請求項１記載の考案）は、金属により成形された複数の側プレートにより円筒状に成形され、内部には貯水空間が形成されてなる側壁部と、複数の仕切りプレートにより上記貯水空間を一方の貯水空間と他方の貯水空間とに二分する仕切り壁部と、を備え、上記仕切り壁部の左側には、該仕切り壁部に固定され且つ自立してなる一方のトラスユニットが溶接され、上記仕切り壁部の右側には、該仕切り壁部に固定され且つ自立してなる他方のトラスユニットが溶接され、上記一方及び他方のトラスユニットは、上記仕切り壁部の左側面又は右側面と直交する方向に長さを有する複数の水平補強材と、該仕切り壁部の高さ方向と同じ方向に長さを有するとともに上記仕切り壁部に溶接されてなる複数の垂直補強材と、一端は上記水平補強材の中途部に溶接され他端は上記垂直補強材に溶接されてなり互いに交差して溶接されてなる複数の傾斜補強材と、を有してなるとともに、上記複数の垂直補強材の中途部は、上記仕切り壁部に平行に配置された複数の横架材により接続されてなるものであることを特徴とするものである。
【０００７】
この第１の考案に係る二槽式貯水タンクでは、上記仕切り壁部により、円形状に成形され内部に成形された貯水空間が、一方の貯水空間と他方の貯水空間とに二分されていることから、これら一方及び他方の貯水空間の全てに貯水することが可能であるばかりではなく、一方の貯水空間内を洗浄したり消毒したりする等のメンテナンス作業を行う場合であっても、他方の貯水空間内に収容された液体を外部に供給することが可能となる。そして、この考案では、上記貯水空間を二分する仕切り壁部の左右両側は、自立してなる一方のトラスユニットと他方のトラスユニットが固定されている。これら一方及び他方のトラスユニットは、上記仕切り壁部の左側面又は右側面と直交する方向に長さを有する複数の水平補強材と、該仕切り壁部の高さ方向と同じ方向に長さを有するとともに上記仕切り壁部に溶接されてなる複数の垂直補強材と、一端は上記水平補強材の中途部に溶接され他端は上記垂直補強材に溶接されてなり互いに交差して溶接されてなる複数の傾斜補強材と、を有してなるとともに、上記複数の垂直補強材の中途部は、上記仕切り壁部に平行に配置された複数の横架材により接続されてなるものであることから、これら一方及び他方のトラスユニットにより、上記仕切り壁部は相当程度補強され、地震発生時においても該仕切り壁が座屈することを効果的に防止することができるとともに、先に説明した円筒状の側壁（外筒）と、該側壁と同心円状に配置された円筒状の内壁（内筒）とを有する二槽式貯水タンクのように、該内筒の素材として厚板を使用したりリング状の補強材を使用したりする必要性はなく、極めて低コストにて施工することが可能となる。特に、この考案に係る二槽式貯水タンクによれば、上記仕切り壁部に用いる仕切りプレートの肉厚は比較的薄い金属板を使用することができ、該仕切りプレート全体の重量を低減することができ、さらにこのことは、貯水空間が増大すればする程大幅に低減することが可能となる。
【０００８】
また、第２の考案（請求項２記載の考案）は、金属により成形された複数の側プレートにより全体の平面形状が円弧状に成形されてなる一方の円弧状壁部と、金属により成形された複数の側プレートにより全体の平面形状が円弧状に成形されてなる他方の円弧状壁部と、上記一方の円弧状壁部の一端と上記他方の円弧状壁部の他端とを接続する一方の接続壁部と、上記一方の円弧状壁部の他端と上記他方の円弧状壁部の一端とを接続するとともに、上記一方の接続壁部と面対向してなる他方の接続壁部と、を備え、一端は上記一方の接続壁部に接続され他端は上記他方の接続壁部に接続された複数の仕切りプレートにより上記貯水空間を一方の貯水空間と他方の貯水空間とに二分する仕切り壁部と、を備え、上記仕切り壁部の左側には、該仕切り壁部の左側面に固定され且つ自立してなる一方のトラスユニットが溶接され、上記仕切り壁部の右側には、該仕切り壁部の右側面に固定され且つ自立してなる他方のトラスユニットが溶接されてなり、上記一方及び他方のトラスユニットは、上記仕切り壁部の左側面又は右側面と直交する方向に長さを有する複数の水平補強材と、該仕切り壁部の高さ方向と同じ方向に長さを有するとともに上記仕切り壁部に溶接されてなる複数の垂直補強材と、一端は上記水平補強材の中途部に溶接され他端は上記垂直補強材に溶接されてなり互いに交差して溶接されてなる複数の傾斜補強材と、を有してなるとともに、上記複数の垂直補強材の中途部は、上記仕切り壁部に平行に配置された複数の横架材により接続されてなるものであることを特徴とするものである。
【０００９】
この第２の考案に係る二槽式貯水タンクは、上記第１の考案に係る二槽式貯水タンクと比較した場合、側壁部の形状が異なるのみであり、基本的構造は互いに同一のものである。すなわち、この第２の考案に係る二槽式貯水タンクを構成する側壁部は、金属により成形された複数の側プレートにより全体の平面形状が円弧状に成形されてなる一方の円弧状壁部と、金属により成形された複数の側プレートにより全体の平面形状が円弧状に成形されてなる他方の円弧状壁部と、上記一方の円弧状壁部の一端と上記他方の円弧状壁部の他端とを接続する一方の接続壁部と、上記一方の円弧状壁部の他端と上記他方の円弧状壁部の一端とを接続するとともに、上記一方の接続壁部と面対向してなる他方の接続壁部と、を備えたものである。そして、この考案を構成する仕切り壁部は、一端が上記一方の接続壁部に接続され他端は上記他方の接続壁部に接続された複数の仕切りプレートにより上記貯水空間を一方の貯水空間と他方の貯水空間とに二分するものであり、また、この仕切り壁部の左右両側に固定された上記一方及び他方のトラスユニットの構造は、上記第１の考案に係るものと同じである。
【００１０】
このように構成された第２の考案に係る二槽式貯水タンクによる場合であっても、上記第１の考案に係る二槽式貯水タンクと同じように、安定した強度を確保することができるとともに建設コストを低減することができる。
【考案の効果】
【００１１】
上記第１の考案（請求項１記載の考案）及び第２の考案（請求項２記載の考案）に係る二槽式貯水タンクによれば、一方及び他方のトラスユニットにより、上記仕切り壁部は相当程度補強され、地震発生時においても該仕切り壁が変形したり座屈することを効果的に防止することができるとともに、先に説明した円筒状の側壁（外筒）と、該側壁と同心円状に配置された円筒状の内壁（内筒）とを有する二槽式貯水タンクのように、該内筒の素材として厚板を使用したりリング状の補強材を使用したりする必要性はなく、極めて低コストにて施工することが可能となる。特に、この考案に係る二槽式貯水タンクによれば、上記仕切り壁部に用いる仕切りプレートの肉厚は比較的薄い金属板を使用することができ、該仕切りプレート全体の重量を低減することができ、さらにこのことは、貯水空間が増大すればする程大幅に低減することが可能となる。
【図面の簡単な説明】
【００１２】
【図１】本考案の第１の実施の形態に係る二槽式貯水タンクを模式的に示す正断面図である。
【図２】図１に示す二槽式貯水タンクを模式的に示す平断面図である。
【図３】個々の仕切り壁ブロックを示す斜視図である。
【図４】トラスユニットの細部を拡大して示す斜視図である。
【図５】本考案の第２の実施の形態に係る二槽式貯水タンクを模式的に示す分解斜視図である。
【考案を実施するための形態】
【００１３】
以下、本考案を実施するための最良の実施の形態に係る二槽式貯水タンクについて、図面を参照しながら詳細に説明する。先ず、本考案の第１の実施の形態に係る二槽式貯水タンクについて詳細に説明する。
【００１４】
この第１の実施の形態に係る二槽式貯水タンク１は、図１又は図２に示すように、ステンレス鋼のような耐腐食性を有する素材により円盤状に成形された底板２と、この底板２の上面から立設され外形形状が円筒状に成形された側壁部３と、この側壁部３の上端に固定されドーム形状に成形された屋根４と、を備えている。
【００１５】
上記底板２は、円形状に成形された平板であり、また、上記側壁部３は、長方形状に成形されステンレススチール等の耐腐食性を有する図示しない側プレートを湾曲させ、上下及び左右に連続させるとともに気密性を有した状態で溶接することにより、全体として、円筒状に成形されたものである。なお、上記ドーム状に成形された屋根４は、上記側壁部３を構成する最上段に固定された複数の板体の上端に図示しない連結材を介してボルト及びナット等の所定の締結具により締結・固定されている。
【００１６】
そして、上記側壁部３の内側は、図示しない液体が収容・貯水される貯水空間とされ、この貯水空間は、図１又は図２に示すように、仕切り壁部８により左右均等に仕切られ（二分され）ている。すなわち、上記貯水空間は、上記仕切り壁部８を境に、左側は一方の貯水空間１ａとされ、右側は他方の貯水空間１ｂとされている。この仕切り壁部８は、ステンレススチール等の耐腐食性を有する素材からなるものであって、仕切り壁ブロック９が上下左右に気密性を有した状態で溶接されてなるものである。この仕切り壁ブロック９は、図４に示すように、長方形状に成形され波状に折曲されてなる個々の仕切りプレート１０がその幅方向に複数溶接されてなるとともに、両端には、長方形状に成形された接続板１１，１１が溶接されてなるものである。
【００１７】
そして、この二槽式貯水タンク１は、図１又は図２に示すように、上記仕切り壁部８の左側には、一方のトラスユニット１２が固定（溶接）され、該仕切り壁部８の右側には、他方のトラスユニット１３が固定（溶接）されている。これら一方及び他方のトラスユニット１２，１３は、図４に示すように、上記仕切り壁部８（仕切り壁ブロック９）を境に、左右対称に固定されてなるものであり、それぞれ平面形状がＬ字状に成形され互いに平行に起立してなり、上記仕切り壁部８に溶接されてなる複数の内側垂直補強材１４と、これらの内側垂直補強材１４の配置位置からやや離間した位置（上記仕切り壁部８から離れた位置）に配置されてなるとともに該内側垂直補強材１４と平行に起立してなる外側垂直補強材１５と、両端がこれら内側垂直補強材１４と外側垂直補強材１５の中途部に溶接されてなりそれぞれ平行に配置された複数の水平補強材１６と、上記水平補強材１６と内側垂直補強材１４との溶接個所に一端が溶接され、他端は上記水平補強材１６と外側垂直補強材１５との溶接個所に溶接され傾斜してなる一方の傾斜補強材１７と、上記水平補強材１６と内側垂直補強材１４との溶接個所に一端が溶接され、他端は上記水平補強材１６と外側垂直補強材１５との溶接個所に溶接され傾斜してなるとともに中央にて上記一方の傾斜補強材１７と交差してなる他方の傾斜補強材１８と、を備えている。
【００１８】
そして、上記それぞれの内側垂直補強材１４とそれぞれの外側垂直補強材１５は、上記底板２の上面に溶接され、該内側垂直補強材１４のそれぞれは、上記仕切り壁部８を構成する各接続板１１，１１に溶接されている。また、上記それぞれ外側垂直補強材１５は、側面形状がＬ字状に成形されてなるとともに互いに平行とされた複数の横架材１９の中途部に溶接されている。すなわち、上記一方及び他方のトラスユニット１２，１３は、上記仕切り壁部８の左右両側にそれぞれ自立した状態で配置されてなるとともに、上記底板２の上面に上記それぞれの内側垂直補強材１４及び外側垂直補強材１５に溶接されてなるとともに、該内側垂直補強材１４のそれぞれも上記仕切り壁部８に溶接されている。
【００１９】
したがって、上述した第１の実施の形態に係る二槽式貯水タンク１によれば、上記一方の貯水空間１ａと他方の貯水空間１ｂ内に液体を貯水することができ、一方又は他方の貯水空間１ａ，１ｂの何れかのメンテナンス作業が必要になった場合には、一方又は他方の貯水空間１ａ，１ｂを空の状態とし、該メンテナンス作業をすることができる。そして、上記一方及び他方の貯水空間１ａ，１ｂの両方に貯水された場合には勿論、一方又は他方の貯水空間１ａ，１ｂの何れかが貯水された場合には、上記仕切り壁部８は、上記一方又は他方のトラスユニット１２，１３により強固に補強されていることから、例えば上記一方の貯水空間１ａのみに液体が貯水された場合であっても、さらには地震の発生により液体が揺動した場合であっても、該液体の圧力により該仕切り壁部８が変形したり座屈したりする危険性を有効に防止することができる。また、上記仕切り壁部８は、上記一方及び他方のトラスユニット１２，１３により、相当強固に補強されていることから、先に説明した円筒状の側壁（外筒）と、該側壁と同心円状に配置された円筒状の内壁（内筒）とを有する二槽式貯水タンクのように、該内筒の素材として厚板を使用したりリング状の補強材を使用したりする必要性はなく、極めて低コストにて施工することが可能となる。
【００２０】
なお、上述した第１の実施の形態に係る二槽式貯水タンク１では、側壁部３の全体形状が円筒状に成形されてなるものであるが、本考案に係る二槽式貯水タンクは、第２の実施の形態に係る二槽式貯水タンク２１のように、略楕円状に成形されてなるものであっても良い。
【００２１】
この第２の実施の形態に係る二槽式貯水タンク２１は、図５に示すように、全体の平面形状が円弧状に成形されてなる一方の円弧状壁部２２と、この一方の円弧状壁部２２と線対称に成形された他方の円弧状壁部２３と、一端は上記一方の円弧状壁部２２の一端に溶接され、他端は上記他方の円弧状壁部２３の他端に溶接されてなる一方の接続壁部２４と、一端は上記一方の円弧状壁部２２の他端に溶接され、一端は上記他方の円弧状壁部２３の一端に溶接されてなる他方の接続壁部２５と、を備えてなるものである。上記一方及び他方の円弧状壁部２２，２３は、何れも長方形状に成形され耐腐食性を有する板体２３ａ，２４ａを湾曲させ、上下及び左右に気密性を有した状態で溶接することにより、全体として、平面形状が略楕円形状に成形されたものである。また、上記一方及び他方の接続壁部２４，２５は、何れも長方形状に成形され耐腐食性を有する平板状の板体２４ａ，２５ａを上下左右に気密性を有した状態で溶接されてなるとともに、互いに同じ高さ及び長さに成形されてなり、且つそれぞれ面対向してなるものである。
【００２２】
そして、上記互いに面対向する一方の接続壁部２４の中央と他方の接続壁部２５の中央とには、仕切り壁部２６が立設され、この仕切り壁部２６を境に、左側が一方の貯水空間２１ａとされ、右側は他方の貯水空間２１ｂとされている。換言すれば、この二槽式貯水タンク２１は、上記仕切り壁部２６により、内部の貯水空間を均等に二分されている。
【００２３】
そして、上記仕切り壁部２６の左側には、一方のトラスユニット２７が固定され、該仕切り壁部２６の右側には、他方のトラスユニット２８が固定されている。これら一方及び他方のトラスユニット２７，２８の具体的構成は、先に説明した一方及び他方のトラスユニット１２，１３と同じ構成であることから説明は省略する。なお、上記一方及び他方の円弧状壁部２２，２３並びに一方及び他方の接続壁部２４，２５と、を備えた貯水タンク本体（符号は省略する。）の上部には、先に説明した第１の実施の形態に係る二槽式貯水タンク１と同じように、ドーム状に成形された屋根２９が固定されている。
【００２４】
したがって、このように構成された第２の形態に係る二槽式貯水タンク２１であっても、上記第１の実施の形態に係る二槽式貯水タンク１と同じように、上記仕切り壁部２６により、内側に形成された貯水空間が、一方の貯水空間２１ａと他方の貯水空間２１ｂとに二分されていることから、これら一方及び他方の貯水空間２１ａ，２１ｂの全てに貯水することが可能であるばかりではなく、一方の貯水空間２１ａ内を洗浄したり消毒したりする等のメンテナンス作業を行う場合であっても、他方の貯水空間２１ｂ内に収容された液体を外部に供給することが可能となる。そして、この二槽式貯水タンク２１であっても、上記貯水空間を二分する仕切り壁部２６の左右両側は、自立してなる一方のトラスユニット２７と他方のトラスユニット２８が固定されていることから、これら一方及び他方のトラスユニット２７，２８により、上記仕切り壁部２６は相当程度補強され、地震発生時においても該仕切り壁２６が座屈することを効果的に防止することができるとともに、先に説明した円筒状の側壁（外筒）と、該側壁と同心円状に配置された円筒状の内壁（内筒）とを有する二槽式貯水タンクに比較して、極めて低コストにて施工することが可能となる。
【００２５】
なお、上記第２の形態に係る二槽式貯水タンク２１を構成する一方及び他方の接続壁部２４，２５の長さは特に限定されることがなく、任意の長さとすれば良い。
【符号の説明】
【００２６】
１  二槽式貯水タンク
３  側壁部
８  仕切り壁部
１２  一方のトラスユニット
１３  他方のトラスユニット
１４  内側垂直補強材
１５  外側垂直補強材
１６  水平補強材
１７  一方の傾斜補強材
１８  他方の傾斜補強材
１９  横架材
２１  二槽式貯水タンク
２２  一方の円弧状壁部
２３  他方の円弧状壁部
２４  一方の接続壁部
２５  他方の接続壁部
２６  仕切り壁部
２７  一方のトラスユニット
２８  他方のトラスユニット
【図１】
0003209694.tif 000003
【図２】
0003209694.tif 000004
【図３】
0003209694.tif 000005
【図４】
0003209694.tif 000006
【図５】
0003209694.tif 000007
【手続補正書】
【提出日】平成29年2月1日(2017.2.1)
【手続補正１】
【補正対象書類名】実用新案登録請求の範囲
【補正対象項目名】全文
【補正方法】変更
【補正の内容】
【実用新案登録請求の範囲】
【請求項１】
金属により成形された複数の側プレートにより円筒状に成形され、内部には貯水空間が形成されてなる側壁部と、複数の仕切りプレートにより上記貯水空間を一方の貯水空間と他方の貯水空間とに二分する仕切り壁部と、を備え、
上記仕切り壁部の左側には、該仕切り壁部に固定され且つ自立してなる一方のトラスユニットが溶接され、
上記仕切り壁部の右側には、該仕切り壁部に固定され且つ自立してなる他方のトラスユニットが溶接され、
上記一方及び他方のトラスユニットは、上記仕切り壁部の左側面又は右側面と直交する方向に長さを有する複数の水平補強材と、該仕切り壁部の高さ方向と同じ方向に長さを有するとともに上記仕切り壁部に溶接されてなる複数の垂直補強材と、一端は上記水平補強材の中途部に溶接され他端は上記垂直補強材に溶接されてなり互いに交差して溶接されてなる複数の傾斜補強材と、を有してなるとともに、上記複数の垂直補強材の中途部は、上記仕切り壁部に平行に配置された複数の横架材により接続されてなるものであることを特徴とする二槽式貯水タンク。
【請求項２】
金属により成形された複数の側プレートにより全体の平面形状が円弧状に成形されてなる一方の円弧状壁部と、金属により成形された複数の側プレートにより全体の平面形状が円弧状に成形されてなる他方の円弧状壁部と、上記一方の円弧状壁部の一端と上記他方の円弧状壁部の他端とを接続する一方の接続壁部と、上記一方の円弧状壁部の他端と上記他方の円弧状壁部の一端とを接続するとともに、上記一方の接続壁部と面対向してなる他方の接続壁部と、上記一方の円弧状壁部と他方の円弧状壁部と一方の接続壁部と他方の接続壁部とにより内部に形成された貯水空間と、一端は上記一方の接続壁部に接続され他端は上記他方の接続壁部に接続された複数の仕切りプレートにより上記貯水空間を一方の貯水空間と他方の貯水空間とに二分する仕切り壁部と、を備え、
上記仕切り壁部の左側には、該仕切り壁部の左側面に固定され且つ自立してなる一方のトラスユニットが溶接され、
上記仕切り壁部の右側には、該仕切り壁部の右側面に固定され且つ自立してなる他方のトラスユニットが溶接されてなり、
上記一方及び他方のトラスユニットは、上記仕切り壁部の左側面又は右側面と直交する方向に長さを有する複数の水平補強材と、該仕切り壁部の高さ方向と同じ方向に長さを有するとともに上記仕切り壁部に溶接されてなる複数の垂直補強材と、一端は上記水平補強材の中途部に溶接され他端は上記垂直補強材に溶接されてなり互いに交差して溶接されてなる複数の傾斜補強材と、を有してなるとともに、上記複数の垂直補強材の中途部は、上記仕切り壁部に平行に配置された複数の横架材により接続されてなるものであることを特徴とする二槽式貯水タンク。
【手続補正２】
【補正対象書類名】明細書
【補正対象項目名】０００８
【補正方法】変更
【補正の内容】
【０００８】
また、第２の考案（請求項２記載の考案）は、金属により成形された複数の側プレートにより全体の平面形状が円弧状に成形されてなる一方の円弧状壁部と、金属により成形された複数の側プレートにより全体の平面形状が円弧状に成形されてなる他方の円弧状壁部と、上記一方の円弧状壁部の一端と上記他方の円弧状壁部の他端とを接続する一方の接続壁部と、上記一方の円弧状壁部の他端と上記他方の円弧状壁部の一端とを接続するとともに、上記一方の接続壁部と面対向してなる他方の接続壁部と、上記一方の円弧状壁部と他方の円弧状壁部と一方の接続壁部と他方の接続壁部とにより内部に形成された貯水空間と、一端は上記一方の接続壁部に接続され他端は上記他方の接続壁部に接続された複数の仕切りプレートにより上記貯水空間を一方の貯水空間と他方の貯水空間とに二分する仕切り壁部と、を備え、上記仕切り壁部の左側には、該仕切り壁部の左側面に固定され且つ自立してなる一方のトラスユニットが溶接され、上記仕切り壁部の右側には、該仕切り壁部の右側面に固定され且つ自立してなる他方のトラスユニットが溶接されてなり、上記一方及び他方のトラスユニットは、上記仕切り壁部の左側面又は右側面と直交する方向に長さを有する複数の水平補強材と、該仕切り壁部の高さ方向と同じ方向に長さを有するとともに上記仕切り壁部に溶接されてなる複数の垂直補強材と、一端は上記水平補強材の中途部に溶接され他端は上記垂直補強材に溶接されてなり互いに交差して溶接されてなる複数の傾斜補強材と、を有してなるとともに、上記複数の垂直補強材の中途部は、上記仕切り壁部に平行に配置された複数の横架材により接続されてなるものであることを特徴とするものである。
【手続補正３】
【補正対象書類名】明細書
【補正対象項目名】０００９
【補正方法】変更
【補正の内容】
【０００９】
この第２の考案に係る二槽式貯水タンクは、上記第１の考案に係る二槽式貯水タンクと比較した場合、側壁部の形状が異なるのみであり、基本的構造は互いに同一のものである。すなわち、この第２の考案に係る二槽式貯水タンクを構成する側壁部は、金属により成形された複数の側プレートにより全体の平面形状が円弧状に成形されてなる一方の円弧状壁部と、金属により成形された複数の側プレートにより全体の平面形状が円弧状に成形されてなる他方の円弧状壁部と、上記一方の円弧状壁部の一端と上記他方の円弧状壁部の他端とを接続する一方の接続壁部と、上記一方の円弧状壁部の他端と上記他方の円弧状壁部の一端とを接続するとともに、上記一方の接続壁部と面対向してなる他方の接続壁部と、を備えたものであり、上記一方の円弧状壁部と他方の円弧状壁部と一方の接続壁部と他方の接続壁部とにより内部に貯水空間が形成されたものである。そして、この考案を構成する仕切り壁部は、一端が上記一方の接続壁部に接続され他端は上記他方の接続壁部に接続された複数の仕切りプレートにより上記貯水空間を一方の貯水空間と他方の貯水空間とに二分するものであり、また、この仕切り壁部の左右両側に固定された上記一方及び他方のトラスユニットの構造は、上記第１の考案に係るものと同じである。